(57)【要約】【課題】  ケース１２の置き場所がないところであっても、比較的長い時間、ケースを把持しながら視聴すること。【解決手段】  折りたたみ式のケース１２と、この折りたたみ式のケース１２の内部に収容される板状の電子表示媒体１４と、ケース１２を開いた際に、電子表示媒体１４の表示面１４ａを使用者の正面に臨ませるように、電子表示媒体１４とケース１２とを相対的に変位可能に連結する連結機構２０とを備えている。ケース１２を開いて電子表示媒体としての液晶表示パネル１４ａを開放した際、連結機構２０によって、液晶表示パネル１４ａの表示面が使用者の正面に臨むので、使用者は、ケース１２を書籍のように開いて把持したときに、液晶表示パネル１４ａを最も視認しやすい姿勢に維持することができる。【選択図】      図１
2006162871.tif 000002
【特許請求の範囲】
【請求項１】
電子的情報を表示する電子表示媒体と、
この電子表示媒体を内部に収容する閉蓋姿勢と電子表示媒体を視認可能に開放する開放姿勢との間で変位する折りたたみ式のケースと、
ケースを開いた際に、電子表示媒体の表示面を使用者の正面に臨ませるように、電子表示媒体とケースとを相対的に変位可能に連結する連結機構と
を備えていることを特徴とする電子表示装置。
【請求項２】
請求項１記載の電子表示装置において、
前記連結機構は、開放姿勢にあるケースの長手方向途中部に電子表示媒体を止定する止定手段を有していることを特徴とする電子表示装置。
【請求項３】
請求項２記載の電子表示装置において、
前記ケースは、ヒンジを介して開放姿勢と閉蓋姿勢との間で変位する一対のケース片を有していることを特徴とする電子表示装置。
【請求項４】
請求項３記載の電子表示装置において、
前記ケース片は、一方のみが電装品を収容する矩形の本体であり、他方がカバーであることを特徴とする電子表示装置。
【請求項５】
請求項３または４記載の電子表示装置において、
前記連結機構は、各ケース片のそれぞれに形成されたレール部材と、このレール部材に沿って往復移動可能に連結され、前記電子表示媒体に取り付けられる可動体とを有し、一方のケース片の可動体と他方のケース片の可動体とを互いに逆向きに移動させるようにレール部材が構成されていることを特徴とする電子表示装置。
【請求項６】
請求項５記載の電子表示装置において、
前記連結機構は、可動体を遮蔽する遮蔽部を有していることを特徴とする電子表示装置。
【請求項７】
請求項３または４記載の電子表示装置において、
前記連結機構は、電子表示媒体の幅方向一端部分に設けられ、当該電子表示媒体を一方のケース片に軸支する回動軸と、電子表示媒体の幅方向他端部分に設けられた係止部材と、他方のケース片に設けられ、前記係止部材を受けることにより当該電子表示媒体を開放姿勢に維持するロック部材とを備えていることを特徴とする電子表示装置。
【請求項８】
請求項７記載の電子表示装置において、
前記係止部材は、軸状の部材であり、前記ロック部材は、当該係止部材を着脱自在に把持する金属製の弾性部材であることを特徴とする電子表示装置。
【発明の詳細な説明】
【技術分野】
【０００１】
本発明は電子表示装置に関し、特に液晶表示パネルを好適に採用することのできる電子表示装置に関する。
【背景技術】
【０００２】
マルチメディア時代を迎え、液晶ディスプレイを用いた電子表示装置の普及が進んでいる。一般的な電子表示装置は、ノートブックパソコンと呼称されているものと同様の形態であり、本体と、本体に枢着されて本体の上面を開閉するカバーと、このカバーの内面（本体に臨む面）に取り付けられた電子表示媒体とを有している。
【０００３】
また、特許文献１には、冊子状に複数の電子表示媒体を束ねた構成が開示されている。
【特許文献１】特開２００３−５８０８１号公報
【発明の開示】
【発明が解決しようとする課題】
【０００４】
ノートブック式の表示装置や一般的な折りたたみ式の表示装置では、ケースの面に沿って電子表示媒体が設けられているので、装置全体を把持した状態で画像を視聴する際に、電子表示媒体を見やすい角度でケースを把持することが困難であった。そのため、装置を載置する場所がない状態での長時間の視聴は、使用者にとって不便なものとなっていた。特に、電子表示媒体をＬＣＤで具体化する場合、僅かな角度の変化で視認性が大きく変わるため、先行技術に係る電子表示装置では、使用者が不自然な姿勢で装置を把持する必要があった。
【０００５】
本発明は前記課題に鑑みてなされたものであり、ケースの置き場所がないところであっても、比較的長い時間、ケースを把持しながら視聴することのできる電子表示装置を提供することを課題としている。
【課題を解決するための手段】
【０００６】
前記課題を解決するために、本発明は、電子的情報を表示する電子表示媒体と、この電子表示媒体を内部に収容する閉蓋姿勢と電子表示媒体を視認可能に開放する開放姿勢との間で変位する折りたたみ式のケースと、ケースを開いた際に、電子表示媒体の表示面を使用者の正面に臨ませるように、電子表示媒体とケースとを相対的に変位可能に連結する連結機構とを備えていることを特徴とする電子表示装置である。
【０００７】
この態様では、ケースを開いて電子表示媒体を開放した際、連結機構によって、電子表示媒体の表示面が使用者の正面に臨むので、使用者は、ケースを書籍のように開いて把持したときに、電子表示媒体を最も視認しやすい姿勢に維持することができる。また、折りたたみ式のケースを採用し、このケース内に電子表示媒体を収容する構成を採用しているので、電子表示媒体をケースによって保護することが可能になる。電子表示媒体としては、液晶表示パネルで具体化することが好ましい。また、液晶表示パネルは、外力によって操作することのできるタッチパネル式のものであることが好ましい。その場合には、操作部をケースに設ける必要がなくなる。
【０００８】
好ましい態様において、前記連結機構は、開放姿勢にあるケースの長手方向途中部に電子表示媒体を止定する止定手段を有している。
【０００９】
この態様では、電子表示媒体を開放姿勢のままロックすることができるので、より一層、開放姿勢での把持が容易になる。加えて、開放姿勢にあるケースの長手方向途中部から、ヒンジと反対側の部位が電子表示媒体の遮蔽フードを構成することになる。このため、外光を遮断することができる他、他人ののぞき見をも防止することが可能になる。
【００１０】
好ましい態様において、前記ケースは、ヒンジを介して開放姿勢と閉蓋姿勢との間で変位する一対のケース片を有している。
【００１１】
この態様では、ヒンジを用いた簡素な構成で、本体の開閉機構を構成することが可能になる。
【００１２】
好ましい態様において、前記ケース片は、一方のみが電装品を収容する矩形の本体であり、他方がカバーである。
【００１３】
この態様では、ケースが電装品を収容する本体を有しているので、配線構造が簡素化する。
【００１４】
別の好ましい態様において、前記連結機構は、各ケース片のそれぞれに形成されたレール部材と、このレール部材に沿って往復移動可能に連結され、前記電子表示媒体に取り付けられる可動体とを有し、一方のケース片の可動体と他方のケース片の可動体とを互いに逆向きに移動させるようにレール部材が構成されている。
【００１５】
この態様では、一対のレール部材でリンクを構成して電子表示媒体を開放姿勢と閉蓋姿勢との間で変位させることが可能になる。また、レール部材によって電子表示媒体をケースに連結しているので、当該ケースの開度を大きく（例えば６０°以上に）設定することが可能になる。
【００１６】
別の好ましい態様において、前記連結機構は、可動体を遮蔽する遮蔽部を有している。
【００１７】
この態様では、遮蔽部によって、使用者が可動体に接するのを阻止できる。
【００１８】
別の好ましい態様において、前記連結機構は、電子表示媒体の幅方向一端部分に設けられ、当該電子表示媒体を一方のケース片に軸支する回動軸と、電子表示媒体の幅方向他端部分に設けられた係止部材と、他方のケース片に設けられ、前記係止部材を受けることにより当該電子表示媒体を開放姿勢に維持するロック部材とを備えている。
【００１９】
この態様では、簡素な機構で連結機構を構成することが可能になる。また、ロック部材を有しているので、本体、ケース、および電子表示媒体が３角形状に止定され、開放姿勢にある装置を安定させることが可能になる。
【００２０】
別の好ましい態様において、前記係止部材は、軸状の部材であり、前記ロック部材は、当該係止部材を着脱自在に把持する金属製の弾性部材である。
【００２１】
この態様では、より簡素で廉価な構成で係止部材、ロック部材を実施することが可能になる。
【発明の効果】
【００２２】
以上説明したように、本発明によれば、ケースを開いて電子表示媒体を開放した際、連結機構によって、電子表示媒体の表示面が使用者の正面に臨むので、使用者は、ケースを書籍のように開いて把持したときに、電子表示媒体を最も視認しやすい姿勢に維持することができるという顕著な効果を奏する。
【発明を実施するための最良の形態】
【００２３】
以下、添付図面を参照しながら本発明の好ましい実施形態について説明する。
【００２４】
図１は、本発明の実施の一形態に係る表示装置１０の外観斜視図であり、図２、図３は、図１の実施形態に係る表示装置１０の平面略図である。
【００２５】
これらの図を参照して、図示の表示装置１０は、携帯型映像再生装置として具体化されたものであり、ケース１２と、電子表示媒体としてのＬＣＤユニット１４と、ＬＣＤユニット１４をケース１２に連結するための連結機構２０とを有している。
【００２６】
ケース１２は、電装ユニット１６および電池１７を収容する本体１２ａと、本体１２ａを覆うカバー１２ｂと、本体１２ａとカバー１２ｂとを連結するヒンジ１２ｃとを有している。この本体１２ａとカバー１２ｂは、本発明のケース片の具体例である。
【００２７】
本体１２ａは、概ね矩形の板金成型品である。本体１２ａの内部は、仕切板１２ｄによって、平面でみて内側の室Ｓ１と、外側の室Ｓ２とに間仕切られている。内側の室Ｓ１は、カバー１２ｂに向かって開く凹部１２ｅで形成されている。凹部１２ｅは、ＬＣＤユニット１４および連結機構２０の一部が収容可能に構成されている。また、外側の室Ｓ２には、電装ユニット１６が収容されている。前記仕切板１２ｄには、図略の挿通孔が形成されており、この挿通孔を通して、電装ユニット１６とＬＣＤユニット１４を接続するフレキシブルフラットケーブル１８が設けられており、このフレキシブルフラットケーブル１８によって、ＬＣＤユニット１４の液晶表示パネル１４ａと、電装ユニット１６との電気的な接続が図られている。
【００２８】
カバー１２ｂは、本体１２ａと内寸法が等しく設定された箱体であり、その内面（本体１２ａに臨んでいる面）には、凹部１２ｆが形成されている。凹部１２ｆは、ＬＣＤユニット１４および連結機構２０を収容するためものものであり、その諸元は、本体１２ａの凹部１２ｅと同等に設定されている。
【００２９】
ヒンジ１２ｃは、本体１２ａおよびカバー１２ｂの一端部に設けられ、本体１２ａに対しカバー１２ｂを所定角度（例えば、本体１２ａとカバー１２ｂとが接合している状態から９０°）回動できるように設定されている。なお、具体的には図示していないが、このヒンジ１２ｃには、開閉動作によって接続状態を切換える開閉検出スイッチが内蔵されており、ケース１２が開いたときに、回路を閉じて、電装ユニット１６が給電されるように構成されている。
【００３０】
次に、ＬＣＤユニット１４は、矩形の液晶表示パネル１４ａと、この液晶表示パネル１４ａを保持する取付枠１４ｂとを有している。図示の実施形態において、液晶表示パネル１４ａは、外圧による位置情報を検出することによって、操作部としての機能を奏する感圧式または静電式のタッチパネルである。取付枠１４ｂは、樹脂成型品であり、正面に液晶表示パネル１４ａを担持している。ＬＣＤユニット１４は、本発明の電子表示媒体の具体例である。また、液晶表示パネル１４ａは、本発明の表示面の具体例である。
【００３１】
次に、連結機構２０は、本体１２ａの凹部１２ｅに嵌合する第１のフレーム体２１と、カバー１２ｂの凹部１２ｆに嵌合する第２のフレーム体２２と、各フレーム体２１、２２に設けられ、前記ＬＣＤユニット１４の幅方向の端部を対応するフレーム体２１にリンクするピン２３、２４を備えている。なお図１〜図３におけるフレーム体２１、２２は、簡略化して細部を省略している。
【００３２】
図４は図１の実施形態に係る表示装置１０の要部を示す断面部分略図である。
【００３３】
同図を参照して、フレーム体２１は、本体１２ａの凹部１２ｅの内奥部に接合する背板２１ａと、この背板２１ａの上下から水平に屈曲して本体１２ａの長手方向に延びる一対のフランジ２１ｂとを有している。各フランジ２１ｂには、長孔２１ｃが形成されている。ピン２３は、かしめ加工によって、上下に離脱不能且つ長孔２１ｃの長手方向に往復移動可能に連結されている。このピン２３は、組付時において、前記ＬＣＤユニット１４を構成する取付枠１４ｂの一方の端部を貫通し、ＬＣＤユニット１４の端部を相対回動自在に支持している。各フランジ２１ｂの両側には、リブ２１ｄが延設されており、これらリブ２１ｄが組付時において、ピン２３の頭部２３ａを凹部１２ｅ内に遮蔽するように構成されている。
【００３４】
他方、カバー１２ｂに取り付けられるフレーム体２２は、カバー１２ｂの凹部１２ｆの内奥部に接合する背板２２ａと、この背板２２ａの上下から水平に屈曲してカバー１２ｂの長手方向に延びる一対のフランジ２２ｂとを有している。各フランジ２２ｂには、長孔２２ｃが形成されている。ピン２４は、かしめ加工によって、上下に離脱不能且つ長孔２２ｃの長手方向に往復移動可能に連結されている。このピン２４は、組付時において、前記ＬＣＤユニット１４を構成する取付枠１４ｂの他方の端部を貫通し、ＬＣＤユニット１４の他方の端部を相対回動自在に支持している。各フランジ２２ｂの両側には、リブ２２ｄが延設されており、これらリブ２２ｄが組付時において、ピン２４の頭部２４ａを凹部１２ｆ内に遮蔽するように構成されている。
【００３５】
図１〜図３に示すように、一方のフレーム体２１のフランジ２１ｂに形成された長孔２１ｃと、他方のフレーム体２２のフランジ２２ｂに形成された長孔２２ｃは、それぞれケース１２の長手方向にずれているとともに、長さも変更されている。図２の閉蓋姿勢から図１、図３の開放状態に変位する際には、本体１２ａのフレーム体２１に連結されているピン２３が、図２に示す本体１２ａの自由端側の位置から基端側へ変位するとともに、カバー１２ｂのフレーム体２２に連結されているピン２４が、図２に示すカバー１２ｂの基端側の位置から自由端側へ変位することにより達成され、また、これと逆向きの方向に各ピン２３、２４が移動することにより、図１、図３の開放状態から図２の閉蓋姿勢に変位することが可能になる。
【００３６】
さらに、図２の矢印Ｐで示すように、閉蓋姿勢にあるケース１２の長孔２１ｃの基端側と長孔２２ｃの自由端側とは、何れもケース１２の長手方向途中部において、当該ケース１２の厚さ方向に対向している。これにより開放姿勢にあるケース１２のＬＣＤユニット１４は、ケース１２の長手方向途中部に止定されることになる。この結果、本体１２ａおよびカバー１２ｂは、長手方向途中部（矢印Ｐで示された位置）から、ヒンジ１２ｃと反対側の部位Ｐ１、Ｐ２がＬＣＤユニット１４の遮蔽フードを構成することになる。
【００３７】
本実施形態において、ピン２３、２４は、本発明の可動体の具体例である。また、フレーム体２１、２２の各フランジ２１ｂ、２２ｂは、本発明のレール部材の具体例である。さらに、各フランジ２１ｂ、２２ｂに設けられたリブ２１ｄ、２２ｄは、本発明の遮蔽部の一例である。さらに、前記ピン２３、２４並びにこれらピン２３、２４を摺動自在に嵌合させる長孔２１ｃ、２２ｃが、本発明の止定手段の具体例を構成する。
【００３８】
図５は図１の実施形態に係る電装ユニットのブロック図である。
【００３９】
図２および図３並びに図５を参照して、電装ユニット１６および電池１７は、本体１２ａの外側に設けられた室Ｓ２内に収容される基板１６０と、この基板１６０に構成されるバス１６ａに接続されるＣＰＵ１６１、ハードディスク１６２、デコーダ１６３、インターフェース１６４、および開閉検出スイッチ１６５を有している。
【００４０】
前記ＣＰＵ１６１およびデコーダ１６３には、フレキシブルフラットケーブル１８の分岐線１８ａ、１８ｂが接続されており、このフレキシブルフラットケーブル１８を介して、前記ＣＰＵ１６１およびデコーダ１６３に対して、ＬＣＤユニット１４の液晶表示パネル１４ａが電気的に接続されている。上述したように、液晶表示パネル１４ａは、感圧式または静電式のパネルを有し、外圧による位置情報を検出することによって、操作部としての機能を奏するタッチパネル式のものであり、ＧＵＩによって表示される操作部１４ｃにより、電装ユニット１６のＣＰＵ１６１に制御信号を入力することが可能に構成されている。
【００４１】
ＣＰＵ１６１は、前記基板１６０に接続されている図略のメモリやハードディスク１６２に記憶されているプログラムによって、操作部１４ｃの表示制御や、操作部１４ｃの操作に基づく動作を行うことができるようになっている。
【００４２】
ハードディスク１６２は、上述のプログラムの他、前記液晶表示パネル１４ａに表示されるコンテンツ（圧縮データ）を記憶するための媒体である。前記コンテンツは、例えばＭＰＥＧ方式によって圧縮された状態で記憶され、デコーダ１６３によって復号化される。
【００４３】
デコーダ１６３は、ＣＰＵ１６１の命令に基づいて、ハードディスク１６２に記憶されたコンテンツを復号し、液晶表示パネル１４ａによって表示するためのものである。
【００４４】
インターフェース１６４は、表示装置１０を外部機器と接続するためのものであり、例えば、ＩＥＥＥ規格のポートやＵＳＢポートで具体化されている。これらのポートを用いて、ハードディスク１６２にコンテンツを提供したり、電池１７に給電するためのクレードル（ハードディスク装置付給電装置）との接続が可能になっている。また、具体的には図示していないが、このインターフェース１６４は、ヘッドホンと接続するためのヘッドホンジャック、スピーカと接続するためのスピーカジャック、マイクと接続するためのマイクジャックを備えていてもよい。
【００４５】
開閉検出スイッチ１６５は、ヒンジ１２ｃに内蔵されて、カバー１２ｂの開閉状態を検出するためのものである。なお、開閉検出スイッチ１６５は、この例に限らず、例えば市販のリミットスイッチで具体化してもよい。
【００４６】
電池１７は、充電式のものが好適に利用される。この電池１７への給電は、前記インターフェース１６４に接続される外部機器によって行うことが可能である。
【００４７】
以上の構成によれば、ケース１２を開いて電子表示媒体としての液晶表示パネル１４ａを図１、図３に示すように開放した際、連結機構２０によって、液晶表示パネル１４ａの表示面が使用者の正面に臨むので、使用者は、ケース１２を書籍のように開いて把持したときに、液晶表示パネル１４ａを最も視認しやすい姿勢に維持することができる。このため、本実施形態では、表示装置１０を載置する場所がない場合であっても、比較的楽な姿勢で長時間、視聴し続けることが可能になる。
【００４８】
このように、本実施形態においては、ケース１２を開いてＬＣＤユニット１４を開放した際、連結機構２０によって、ＬＣＤユニット１４の表示面が使用者の正面に臨むので、使用者は、ケースを書籍のように開いて把持したときに、ＬＣＤユニット１４を最も視認しやすい姿勢に維持することができるという顕著な効果を奏する。
【００４９】
また、図２から明らかなように、折りたたみ式のケース１２を採用し、このケース１２内に液晶表示パネル１４ａを収容する構成を採用しているので、液晶表示パネル１４ａをケース１２によって保護することが可能になる。
【００５０】
また、本実施形態において、前記ケース１２は、ヒンジ１２ｃを介して本体１２ａとカバー１２ｂとを連結しているので、ヒンジ１２ｃを用いた簡素な構成で、本体１２ａの開閉機構を構成することが可能になる。
【００５１】
さらに本実施形態において、前記ケース１２は、電装ユニット１６で具体化される電装品を収容する矩形の本体１２ａを備えているので、配線構造が簡素化する。
【００５２】
さらに本実施形態において、連結機構２０は、開放姿勢にあるケース１２の長手方向途中部に液晶表示パネル１４ａを止定する止定手段としてのピン２３、２４並びに長孔２１ｃ、２２ｃを有している。そのため、本実施形態では、ＬＣＤユニット１４を開放姿勢（図１、図３参照）のままトグル状にロックすることができるので、より一層、開放姿勢での把持が容易になる。また、開放姿勢にあるケースの長手方向途中部から、ヒンジ１２ｃと反対側の部位Ｐ１、Ｐ２（図１、図３参照）が液晶表示パネル１４ａの遮蔽フードを構成することになるので、外光を遮断することができる他、他人ののぞき見をも防止することが可能になる。
【００５３】
また、本実施形態では、連結機構２０は、本体１２ａとカバー１２ｂとにそれぞれ形成されたレール部材としての長孔２１ｃ、２２ｃを有するフランジ２１ｂ、２２ｂと、長孔２１ｃ、２２ｃを有するフランジ２１ｂ、２２ｂに沿って往復移動可能に連結され、ＬＣＤユニット１４に取り付けられる可動体としてのピン２３、２４とを有し、本体１２ａ側のピン２３、２４とカバー１２ｂ側のピン２３、２４とを互いに逆向きに移動させるように長孔２１ｃ、２２ｃを有するフランジ２１ｂ、２２ｂが構成されている。
【００５４】
このため本実施形態では、一対のフランジ２１ｂ、２２ｂでリンクを構成し、本体１２ａに形成された長孔２１ｃを当該本体１２ａの自由端側に配置し、ケース１２に形成された長孔２２ｃを当該ケース１２の基端側に配置することと相俟って、トグル状にＬＣＤユニット１４を開放姿勢と閉蓋姿勢との間で変位させることが可能になる。また、長孔２１ｃ、２２ｃを有するフランジ２１ｂ、２２ｂによってＬＣＤユニット１４をケース１２に連結しているので、当該ケースの本体１２ａとカバー１２ｂの開度を６０°よりも大きく設定することが可能になる。
【００５５】
また、本実施形態では、連結機構２０は、ピン２３、２４を遮蔽する遮蔽部としてのリブ２１ｄ、２２ｄを有している。このため本実施形態では、リブ２１ｄ、２２ｄによって、使用者がピン２３、２４に接するのを阻止できる。
【００５６】
上述した実施形態は、本発明の好ましい具体例を例示したものに過ぎず、本発明は上述した実施形態に限定されない。
【００５７】
図６は本発明の別の実施の形態に係る表示装置１０の外観構成を示す斜視図であり、図７は同表示装置１０の平面略図、図８は同表示装置１０の使用状態を示す斜視図、図９は同表示装置１０の開放姿勢の状態を示す平面略図である。なお、以下の説明では、図１から図５の実施形態と同等の部材には同一の符号を付して、重複する説明を省略する。
【００５８】
これらの図を参照して、この実施形態に係る表示装置１０では、ケース１２を構成する本体１２ａの自由端側にＬＣＤユニット１４の幅方向一端部を回動軸３０により枢支している。これにより、ＬＣＤユニット１４は、回動軸３０を中心に回動自在に本体１２ａに連結され、当該本体１２ａの凹部１２ｅ内に収容される収容姿勢（図７参照）と凹部１２ｅから自由端側が突出する突出姿勢（図８参照）との間で変位可能になっている。
【００５９】
ＬＣＤユニット１４の取付枠１４ｂには、当該自由端の上下両側に係止軸３１が設けられている。この係止軸３１に対応して、本体１２ａの凹部１２ｅ内には、収容姿勢にあるＬＣＤユニット１４の係止軸３１を弾性的に把持する金属製の弾性クリップ３２が設けられており、収容姿勢において、ＬＣＤユニット１４は、本体１２ａ側から不用意に突出姿勢に変位しないように構成されている。なお、図示の実施形態では、収容姿勢にあるＬＣＤユニット１４を使用者が容易に突出姿勢に変位させるために、凹部１２ｅの基端側部分に窪み部１２ｇを形成している。
【００６０】
他方、ケース１２のカバー１２ｂに形成された凹部１２ｆには、ＬＣＤユニット１４の係止軸３１を把持することにより、ＬＣＤユニット１４を開放姿勢（図９参照）に着脱自在に把持するための一対の弾性クリップ３３が設けられている。これら弾性クリップ３３は、図示の実施形態において、回動軸３０と協働し、ケース１２の長手方向途中部にＬＣＤユニット１４を止定する止定手段を構成している。
【００６１】
各弾性クリップ３２、３３は、板金部材を平面視Ｃ字形に湾曲させ、その両端部分を窪ませることにより、係止軸３１を弾性的に内奥側で着脱自在に把持するように構成されている。この実施形態では、前記回動軸３０が本発明の連結機構の具体例を構成している。また、ＬＣＤユニット１４に設けた係止軸３１並びにこれら係止軸３１を受けるためにカバー１２ｂに設けた一対の弾性クリップ３３が、本発明の係止手段並びにロック部材の具体例を構成している。
【００６２】
この構成では、図６および図７に示す閉蓋姿勢にある表示装置１０を開き、さらに、収容姿勢にあるＬＣＤユニット１４を図８に示す突出姿勢に変位させた後、ＬＣＤユニット１４の係止軸３１をケース１２ｂの弾性クリップ３３に係止することにより、ＬＣＤユニット１４を開放姿勢にロックすることが可能になる。これにより、本実施形態においても、図１の実施形態と概ね同様の作用効果を奏することが可能になる。
【００６３】
しかも、本実施形態では、回動軸３０によって、ＬＣＤユニット１４をケース１２に連結しているので、簡素な機構で連結機構２０を構成することが可能になる。また、係止部材としての弾性クリップ３３が止定手段をも構成しているので、本体１２ａ、ケース１２、およびＬＣＤユニット１４が３角形状に止定され、開放姿勢にある装置を安定させることが可能になる。
【００６４】
また、本実施形態では、係止部材が軸状の係止軸３１であり、ロック部材が当該係止軸３１を着脱自在に把持する金属製の弾性クリップ３３であるから、より簡素で廉価な構成で係止部材、ロック部材を実施することが可能になる。
【００６５】
この実施形態では、ＬＣＤユニット１４を本体１２ａに取り付けているが、フレキシブルフラットケーブル１８の配線が可能であるときには、前記回動軸３０をケース１２側に設けて、ＬＣＤユニット１４をケース１２ｂ側に取り付けてもよい。
【００６６】
また、本体１２ａ、ケース１２ｂの配置が左右逆向きになっていてもよい。
【００６７】
さらに上述した実施形態では、携帯型映像再生装置として具体化されたものを例示しているが、本発明は携帯型映像装置に限らず、携帯型情報端末ＰＤＡにも同様に適用が可能である。
【００６８】
その他、本発明の特許請求の範囲内で種々の変更が可能であることはいうまでもない。
【図面の簡単な説明】
【００６９】
【図１】本発明の実施の一形態に係る表示装置の外観斜視図である。
【図２】図１の実施形態に係る表示装置の平面略図である。
【図３】図１の実施形態に係る表示装置の平面略図である。
【図４】図１の実施形態に係る表示装置の要部を示す断面部分略図である。
【図５】図１の実施形態に係る電装ユニットのブロック図である。
【図６】本発明の別の実施の形態に係る表示装置の外観構成を示す斜視図である。
【図７】同表示装置の平面略図である。
【図８】同表示装置の使用状態を示す斜視図である。
【図９】同表示装置の開放姿勢の状態を示す平面略図である。
【符号の説明】
【００７０】
１０  表示装置
１２  ケース
１２ａ      本体
１２ｂ      ケース
１４  ＬＣＤユニット（電子表示媒体の一例）
１４ａ      液晶表示パネル（表示面の一例）
１６  電装ユニット
２０  連結機構
２１、２２  フレーム体
２１ｂ、２２ｂ    フランジ（レール部材、止定手段の一例）
２１ｄ、２２ｄ    リブ（遮蔽部の一例）
２１ｃ、２２ｃ    長孔（レール部材、止定手段の一例）
２３、２４  ピン（可動体の一例）
３０  回動軸
３１  係止軸（係止部材の一例）
３３  弾性クリップ（止定手段、ロック部材の一例）
【図１】
2006162871.tif 000003
【図２】
2006162871.tif 000004
【図３】
2006162871.tif 000005
【図４】
2006162871.tif 000006
【図５】
2006162871.tif 000007
【図６】
2006162871.tif 000008
【図７】
2006162871.tif 000009
【図８】
2006162871.tif 000010
【図９】
2006162871.tif 000011